(57)【要約】      （修正有）【課題】タブの引き起こしで缶内に飲み口閉鎖板が押し込まれるときに、飲み口周辺でのタブに対向する部分が障害物とならないようにし、溝内や缶内に残液を生じさせない飲料缶を提供する。【解決手段】缶天部５の周囲にある隆起リブ３の基端に、飲み口閉鎖板８の一部を達しさせる。タブ６操作を行なって飲み口閉鎖板８が押し下げられて飲み口が開口し、その開口した飲み口の一部が隆起リブ３の基端に位置することになり、飲み口の一部が達している隆起リブ３の基端には従来の溝が存在しないようになる。そのため、飲み口側を下にして飲料缶１を傾けながら飲料を注ぎ出す場合でも、その飲み口の下側となっている周辺が障害物とならず、缶内に液残りを生じさせ難くなる。また、従来の飲料缶では、飲料を注ぎ出してから飲料缶を縦置きしたときに飲み口側の溝４に液残りがあったが、飲み口の一部が隆起リブ３の基端に達しているため、溝４に液残りが生じない。【選択図】図１
0003147844.tif 000002
【実用新案登録請求の範囲】
【請求項１】
缶天部の飲み口閉鎖板のタブによる押し下げで、缶天部に開口された飲み口が形成される飲料缶において、
缶天部の周囲にある隆起リブの基端に、前記飲み口閉鎖板の一部が達していることを特徴とする飲料缶。
【考案の詳細な説明】
【技術分野】
【０００１】
本考案は飲料缶、特に缶天部にあるタブを起こす操作により簡単に飲み口が得られるようにした飲料缶に関するものである。
【背景技術】
【０００２】
従来から、ジュースやコーヒーなどの飲料を収容する缶容器としては、缶天部に取り付けたタブを引き起こすことで、その缶天部にあって所定形状にプレス加工にて施された破断可能なスコアを周りに位置させた飲み口閉鎖板を缶内方に押し下げて、缶天部に飲み口が形成されるようにしたステイオンタブ式の飲料缶が多く用いられている。このタブの引き起こしで飲み口を形成する飲料缶は、缶天部の板材を缶胴部の上部に配し、その缶胴部の胴部板材の上周辺と缶天部板材の周辺とを巻き締めして缶胴部の上部を閉じ、巻き締めした部分を環状の隆起リブとするとともに、前記環状の隆起リブの内周側の基端に溝を介してその溝の底高さ位置より上位とした缶天部が連続するように設けられていて、溝より内側の領域となる缶天部とこの缶天部に取り付けたタブとが隆起リブの上端高さ位置より下位となることで、この飲料缶の製造後の流通段階や自動販売機に収められている時点で前記缶天部やタブと他物との接触が極力生じないように図られている。
【０００３】
上述したように、缶上部の隆起リブの基端に沿う環状の溝は、缶内の圧力が大気圧に対して高い場合でも缶天部側に膨らみが生じないように強度を付与するために設けられるものである（特許文献１、特許文献２参照）。
また、缶上部に隆起リブがあり、そして、その基端に沿って溝があるため、開いた飲み口から飲料を注ぎ出した際、ほんのわずかな量ではあるが飲み口から出た飲料の一部分が隆起リブに堰き止められて溝に残るという不具合に対して、隆起リブにおける飲み口閉鎖板に対応する部分を液体が流れ易い形状に加工する工夫がある（特許文献３参照）。
【特許文献１】特開２００２−１７８０７２号公報
【特許文献２】特開２００６−３３５４５９号公報
【特許文献３】特開２００４−０９１０２２号公報
【考案の開示】
【考案が解決しようとする課題】
【０００４】
上述した隆起リブに飲料の一部が堰き止められることの不具合を解消するための技術は、有用なものと考えられるが、しかしながら、巻き締めされた箇所である隆起リブを加工することは困難を要し、缶の製造コストを大幅に引き上げる可能性もあって、容易に実施できるものではない。
さらに加えて、液体の注ぎ出すために傾斜させる際に下側となる周縁、即ち、開口された飲み口の周縁の内、タブ側とは反対側となる部分は、溝から缶天部の中心側に寄った位置にあり、この部分が、缶内から飲み口を通って缶外に飲料が流れ出るときに障害物となって少しの量の飲料を堰き止めてしまい、缶内に残った少しの飲料を注ぎ出すことが難しいという不具合を解消することはできていない。そして、この点と先の溝に飲料が残る点との両方の不都合を解消する工夫も見出されていないのが現状である。
そこで、本考案は上記事情に鑑み、タブの引き起こしで缶内に飲み口閉鎖板が押し込まれるときに、飲み口周辺でのタブ側とは反対側となる部分が障害物とならないようにすることを課題とし、溝内や缶内に残液を生じさせない飲料缶を提供することを目的とする。
【課題を解決するための手段】
【０００５】
本考案は上記課題を考慮してなされたもので、缶天部の飲み口閉鎖板のタブによる押し下げで、缶天部に開口された飲み口が形成される飲料缶において、缶天部の周囲にある隆起リブの基端に、前記飲み口閉鎖板の一部が達していることを特徴とする飲料缶を提供して、上記課題を解消するものである。
【考案の効果】
【０００６】
本考案によれば、タブ操作を行なって飲み口閉鎖板が押し下げられて飲み口が開口し、その開口した飲み口の一部が隆起リブの基端に位置することになり、飲み口の一部が達している隆起リブの基端には従来の溝が存在しないようになる。
そのため、飲み口側を下にして飲料缶を傾けながら飲料を注ぎ出す場合でも、その飲み口の下側となっている周辺が障害物とならず、缶内に液残りを生じさせ難くなる。また、従来の飲料缶では、飲料を注ぎ出してから飲料缶を縦置きしたときに飲み口側の溝に液残りがあったが、前述したように飲み口の一部が隆起リブの基端に達しているため、溝に液残りが生じないなどの効果を奏するものである。
【考案を実施するための最良の形態】
【０００７】
つぎに本考案を図１と図２に示す実施の例に基づいて説明する。
図中１はステイオンタブ式の飲料缶で、該飲料缶１は缶胴部２の天側に所定のプレス加工が施された缶天部板材（缶蓋）を取り付け、その缶天部板材の周縁と缶胴部の胴部板材上周縁とを共に巻き締めることで缶胴部の天側が閉じされ、巻き締めした部分が環状の隆起リブ３となり、隆起リブ３の基端に沿った溝４を介してその溝４の底位置より上位となる高さ位置にして缶天部５が設けられている。
この飲料缶１の缶天部５は、中心位置でタブ６がビス止めされているとともに、タブ６の固定部分からスコア７が飲み口開口形状にして入れられて飲み口閉鎖板８が形成されている。この点は従来の飲料缶と同じであり、タブ６を引き起こすことでその固定部分が前記飲み口閉鎖板８を缶内に向けて押し下げるように作用し、タブ６の固定部分の近傍にある一方のスコア７から破断が進むことで前記飲み口閉鎖板８が缶内に向けて倒れ込み、飲み口が開口する。
【０００８】
本考案の飲料缶１では、上記スコア７のタブ６側とは反対側となる部分９、即ち、上記隆起リブ３に接近した位置にある部分が、隆起リブ３の基端に沿っている溝４の最下点を通っていて、飲み口閉鎖板８の一部が溝４の最下部までに達している（図１参照）。
このようにして、飲み口閉鎖板８の一部であるタブ側とは反対側となる端部１０が溝４の最下部まで達しているため、従来のタブ操作と同じようにして飲み口閉鎖板８が缶内に向けて倒し込めば、開口された飲み口が溝４の位置も含めて形成されることになる。よって、飲み口が下になるように飲料缶１を傾けた傾斜状態での前記飲み口の下周辺、即ち、飲み口の周辺においてタブ６側とは反対側となる部分１１は、飲み口を液体が通るときに障害物となることはなく、缶内の飲料の注ぎ出しではその注ぎ出しが終わるときに際しても、缶内の飲料がスムーズに外部に流れ出て、缶内での液残りが極力生じないようになる。
また、注ぎ出しの途中などで飲料缶１を通常のように缶天部５を上にして縦置きする際に、飲み口側の隆起リブ３の部分に僅かな飲料があった場合でも、縦置きしたときにその僅かな飲料を受ける溝自体が存在しないために缶内に流れ落ちて、少しの飲料が溝４に残るというようなことが生じず、飲み口周りの美観が損なわれないという利点がある。
【図面の簡単な説明】
【０００９】
【図１】本考案に係る飲料缶の一例の缶天部を一部を切り欠いて示す説明図である。
【図２】一例において飲み口を開口した状態を示す説明図である。
【符号の説明】
【００１０】
１…飲料缶
２…缶胴部
３…隆起リブ
４…溝
５…缶天部
６…タブ
７…スコア
８…飲み口閉鎖板
９…スコアのタブ側とは反対側となる部分
１０…飲み口閉鎖板のタブ側とは反対側となる端部
１１…飲み口の周辺でのタブ側とは反対側となる部分
【図１】
0003147844.tif 000003
【図２】
0003147844.tif 000004